(57)【要約】      （修正有）【課題】ポケット部内の写真の一部を隠すことなくインデックス機能を持たせることを可能にしたアルバム台紙を提供する。【解決手段】アルバム台紙１は、台紙２の表裏面を透明フィルム３で被覆して表裏の透明フィルム３の上端部３３、下端部３４および外端部３１を閉じ、内端部３２を開放させ、透明フィルム３の内端部３２側を写真の挿入口５１とするポケット部５を台紙２の表裏面に設ける。台紙２の外端部３１近傍に透孔６を形成し、透孔６を介して表裏の透明フィルム３同士を溶着させて写真が台紙２の外端部２１まで進入するのを阻止する溶着部７を設け、溶着部７より外側の写真が配置されない本アルバム台紙１の領域にインデックス部８を設ける。インデックス部８は、台紙２の表裏面において台紙２の外端部２１に沿った一定幅で着色した着色域８０により構成する。【選択図】図１
0003151495.tif 000002
【実用新案登録請求の範囲】
【請求項１】
台紙の表裏面を透明フィルムで被覆して該表裏の透明フィルムの上端部、下端部および外端部を閉じ、内端部を開放させ、該透明フィルムの内端部側を写真の挿入口とするポケット部を台紙の表裏面に設けたアルバム台紙において、
台紙の外端部近傍に透孔を形成し、該透孔を介して表裏の透明フィルム同士を溶着させて写真が台紙の外端部まで進入するのを阻止する溶着部を設け、該溶着部より外側の写真が配置されない本アルバム台紙の領域にインデックス部を設けるアルバム台紙。
【請求項２】
請求項１に記載のアルバム台紙において、
上記透孔および上記溶着部は、上記台紙の外端部に沿って一箇所または複数個所に設けるアルバム台紙。
【請求項３】
請求項１または２に記載のアルバム台紙において、
上記インデックス部は、上記台紙の表裏面において少なくとも台紙の外端部に沿った一定幅の領域に施した色または分類表示により構成するアルバム台紙。
【請求項４】
請求項１または２に記載のアルバム台紙において、
上記インデックス部は、上記表裏の透明フィルムにおいて少なくとも透明フィルムの外端部に沿った一定幅の領域に施した色、分類表示または書き込み可能な印刷により構成するアルバム台紙。
【請求項５】
請求項１ないし４のいずれかに記載のアルバム台紙において、
上記ポケット部は、一段または上下に多段に設けるアルバム台紙。
【考案の詳細な説明】
【技術分野】
【０００１】
本考案は、写真を収容するアルバム台紙に関する。
【背景技術】
【０００２】
従来のアルバム台紙１００としては、図６に示すように、台紙１０１の表裏面を透明フィルム１０２で被覆して該表裏の透明フィルム１０２の上端部１０３、下端部１０４および外端部１０５を閉じて内端部１０６を開放し、且つ台紙１０１に縦方向に等分割する透孔１０７を設け、該透孔１０７を介して表裏の透明フィルム１０２同士を溶着させた固着部１０８を設け、透明フィルム１０２の開放した内端部１０６側を写真４の挿入口１０９とするポケット部１１０を台紙１０１の表裏に上下方向に数段設けたものが知られている。そして、上記アルバム台紙１００は、これを多数綴じ込んで写真帳として利用される。また、この写真帳は、これを数冊まとめて１つのファイルボックスに収容されることもある。
【先行技術文献】
【特許文献】
【０００３】
【特許文献１】実用新案登録第３００１７１４号公報
【考案の概要】
【考案が解決しようとする課題】
【０００４】
ところで、上記アルバム台紙１００には、内側（綴じ込み側）に台紙１０１が露出した記入欄１１１が設けられているが、該アルバム台紙１００を特定するためのインデックスがないため、写真帳から特定のアルバム台紙１００を素早く見つけ出すのは難しい。また、数冊の写真帳を１つのファイルボックスに収容したアルバムセットとする場合でも、各写真帳に背見出しを設けることなく特定の写真帳を素早く見つけ出すのは難しい。一方、アルバム台紙１００の外端部１０５側等にインデックス（見出し）１２０を貼り付けると、インデックス１２０がポケット部１１０内の写真４の一部を隠して写真４の見栄えを悪化させるおそれがある等の不都合が生じる。
【０００５】
本考案は、上記事情に鑑みてなされたものであり、ポケット部内の写真の一部を隠すことなくインデックス機能を持たせることを可能にしたアルバム台紙を提供することを課題とする。
【課題を解決するための手段】
【０００６】
本考案に係るアルバム台紙は、
台紙の表裏面を透明フィルムで被覆して該表裏の透明フィルムの上端部、下端部および外端部を閉じ、内端部を開放させ、該透明フィルムの内端部側を写真の挿入口とするポケット部を台紙の表裏面に設けたアルバム台紙において、
台紙の外端部近傍に透孔を形成し、該透孔を介して表裏の透明フィルム同士を溶着させて写真が台紙の外端部まで進入するのを阻止する溶着部を設け、該溶着部より外側の写真が配置されない本アルバム台紙の領域にインデックス部を設けるものである。
【０００７】
上記透孔および上記溶着部は、上記台紙の外端部に沿って一箇所または複数個所に設けるようにしてもよい。
上記インデックス部は、上記台紙の表裏面において少なくとも台紙の外端部に沿った一定幅の領域に施した色または分類表示により構成するようにしてもよい。
また、上記インデックス部は、上記表裏の透明フィルムにおいて少なくとも透明フィルムの外端部に沿った一定幅の領域に施した色、分類表示または書き込み可能な印刷により構成するようにしてもよい。
なお、上記ポケット部は、一段または上下に多段に設けるようにしてもよい。
【０００８】
上記構成によれば、インデックス部には、上記溶着部により写真の進入が阻止されて写真が配置されない。従って、上記インデックス部によってポケット部内の写真の一部を隠して写真の視認を悪化させることはない。また、上記インデックス部は、アルバム台紙の外端部側に設けるので、インデックス機能を確実に発揮させることができる。
【考案の効果】
【０００９】
以上のように、本考案によれば、上記インデックス部は、ポケット部内の写真の一部を隠すことなくインデックス機能を十分に発揮させることができる。従って、アルバム台紙の分類や検索等を容易に行うことができる。また、本アルバム台紙を多数綴じ込んだ写真帳の分類や検索等をも容易に行うことができる。
【図面の簡単な説明】
【００１０】
【図１】実施形態によるアルバム台紙を示す平面図である。
【図２】実施形態によるアルバム台紙を示す斜視図である。
【図３】実施形態によるアルバム台紙を示す断面図である。
【図４】他の実施形態によるアルバム台紙を示す平面図である。
【図５】他の実施形態によるアルバム台紙を示す平面図である。
【図６】従来のアルバム台紙を示す平面図である。
【考案を実施するための形態】
【００１１】
以下に、本考案の実施形態を説明する。
図１〜図３に示すように、実施形態のアルバム台紙１は、長方形形状の台紙２と、台紙２の外端部２１から内端部２２側へ約２／３程度の範囲にわたってその表裏面を被覆する透明フィルム３とにより構成され、台紙２と透明フィルム３との間に１枚の写真４を横置きに収容するポケット部５が台紙２の表裏面に形成されている。台紙２は、例えば、紙や樹脂シート等により構成される。透明フィルム３は、例えば、ポリプロピレン、ポリエチレン等の樹脂フィルムにより構成される。
【００１２】
台紙２の内端部２２側の透明フィルム３が被覆されていない範囲は、台紙２上に直接書込みができる記入欄２７となっており、この記入欄２７には複数の罫線Ｋが記されている。台紙２の内端部２２に沿った一定幅の範囲は、写真帳に綴じ込むための綴じ込み片２８となっている。
【００１３】
台紙２は、上端部２３と下端部２４とに透明フィルム３の配置範囲にわたって切欠部２５，２６が形成されている。そして、このアルバム台紙１は、１枚の透明フィルム３を台紙２の外端部２１側から台紙２を挟むように半分に折り曲げ、台紙２の上端部２３と下端部２４の各切欠部２５，２６を介して表裏に配置された透明フィルム３の上端部３３同士と下端部３４同士とが溶着されている。すなわち、透明フィルム３は、袋状となって台紙２の表裏面に被覆されている。これにより、台紙２の表裏面に配置する透明フィルム３は、上端部３３、下端部３４および外端部３１が閉じて内端部３２が開放され、この透明フィルム３の開放された内端部３２側がポケット部５における写真４の挿入口５１を構成する。
【００１４】
台紙２の外端部２１近傍には、楕円形状の透孔６が上下に二箇所形成され、これら透孔６を介して表裏の透明フィルム３同士を溶着した溶着部７が設けられている。これにより、ポケット部５に収容される写真４が溶着部７によりこれ以上外側に進入することが阻止される。また、台紙２を被覆する透明フィルム３は、溶着部７によって台紙２から抜け落ちることが防止される。
【００１５】
また、台紙２の表裏面において外端部２１に沿った透孔６を含む一定幅の領域は、外端部２１の全長にわたって所要の色に着色された着色域８０となっている。この着色域８０が当該アルバム台紙１のインデックス部８を構成する。
【００１６】
すなわち、上述のとおり、ポケット部５に収容する写真４は、溶着部７より外側への進入が阻止されるから、溶着部７より外側の台紙２の着色域８０には写真４が配置されない。従って、ポケット部５に写真４を収容した状態でも、溶着部７より外側の台紙２の着色域８０部分がインデックス部８として外部から良好に視認される。そして、上記インデックス部８は、アルバム台紙１の外端部側に配置されるので、インデックス機能を確実に且つ十分に発揮することができる。また、上記インデックス部８によってポケット部５内に収容する写真４の一部が隠されて写真４の視認性を悪化させることもない。よって、上記インデックス部８により、アルバム台紙１の分類や検索等を容易に行うことができ、また、本アルバム台紙１を多数綴じ込んだ写真帳の分類や検索等をも容易に行うことができる。
【００１７】
上記インデックス部８となる着色域８０の色として、例えば、本アルバム台紙１を多数綴じ込んだ写真帳とする場合は、各アルバム台紙１毎に異なる色を着色することで、各アルバム台紙１毎に色分けされたインデックス部８を構成することができる。また、着色域８０の色として、例えば、数冊の写真帳を１つのファイルボックスに収容したアルバムセットとする場合は、同じ写真帳に綴じた複数のアルバム台紙１はすべて同じ色を着色し、各写真帳毎に異なる色とすることで、各写真帳毎に色分けされたインデックス部８を構成することもできる。
【００１８】
（他の実施形態）
なお、本考案は、上記実施形態のみに限定されない。
（１）上記透孔６および上記溶着部７の数は、二箇所に設けることに限らず、図４に示すように、一箇所に設けるだけでもよいし（図４（ａ）のアルバム台紙１Ａ）、また、三箇所（図４（ｂ）のアルバム台紙１Ｂ）、四箇所（図４（ｃ）のアルバム台紙１Ｃ）、五箇所（図４（ｄ）のアルバム台紙１Ｄ）等その他の任意の数に設定するようにしてもよい。
（２）上記透孔６の形状は、楕円形に限らず、図５に示すアルバム台紙１Ｅのように円形の透孔６ａでもよいし、長方形、正方形等のその他各種の形状としてもよい。
（３）上記インデックス部８を構成する台紙２の着色域８０の範囲は、少なくとも溶着部７から台紙２の外端部２１までの写真４が配置されない領域であって台紙２の外端部２１を含む任意幅に着色されていればよく、また、台紙２の外端部２１全長にわたって着色されなくてもその一部分にだけ着色されていてもよいし、さらには、台紙２全体が所要の色の色紙で構成されてもよい。
（４）上記インデックス部８は、着色域８０による色分けに限らず、上記台紙２の表裏面において台紙２の外端部２１に沿った一定幅の領域に、文字・数字・記号・図形等の分類表示を付し、この分類表示で構成してもよい。
（５）また、上記インデックス部８は、台紙２に施したものに限らず、表裏の透明フィルム３において透明フィルム３の外端部３１に沿った一定幅の領域に施した色、分類表示または書き込み可能な印刷等により構成してもよい。
（６）上記ポケット部５は、一段に限らず、上下に多段に設けるようにしてもよい。この場合、インデックス部８は、各段のポケット部５毎に対応して着色域８０の色を違えるようにしてもよい。なお、分類表示でインデックス部８を構成する場合は、各段のポケット部５毎に対応して分類表示の内容を違えるようにしてもよい。
（７）台紙２を被覆する透明フィルム３は、袋状にして台紙２の表裏面を被覆するものに限らず、枚葉状の透明フィルム３を台紙２の片面ずつに貼着させるようにしてもよい。
（８）透明フィルム３の外端部３１は、開放されていてもよい。この場合、溶着部７より外側の透明フィルム３をめくって台紙２上に適宜の書き込みができる。これにより、インデックス部８を構成することができる。
【符号の説明】
【００１９】
１  アルバム台紙
２  台紙
３  透明フィルム
４  写真
５  ポケット部
６  透孔
７  溶着部
８  インデックス部
２１  外端部（台紙）
２２  内端部（台紙）
２３  上端部（台紙）
２４  下端部（台紙）
３１  外端部（透明フィルム）
３２  内端部（透明フィルム）
３３  上端部（透明フィルム）
３４  下端部（透明フィルム）
５１  挿入口
８０  着色域
【図１】
0003151495.tif 000003
【図２】
0003151495.tif 000004
【図３】
0003151495.tif 000005
【図４】
0003151495.tif 000006
【図５】
0003151495.tif 000007
【図６】
0003151495.tif 000008